(57)【要約】【課題】不均一な流体が周期的に供給される場合でも、流体を出口ポートに正確かつ均一に分配する分配装置を提供する。【解決手段】本発明は、ハウジング下部とハウジング下部と反対側のハウジング頂部とを有し、内部空間を囲む分配装置ハウジングと、複数の出口ポートと、分配装置ハウジング内の入口ポートと、分配装置ハウジング内の換気ポートと、分配装置ハウジングに対して移動可能であり、分配装置ハウジングの内部に配置され、内部空間を入口ポートが開口する流体空間と換気ポートが開口する換気空間に分割する分配装置ユニットとを備え、前記分配装置ユニットの相対移動は、流体空間および換気空間と交互に複数の出口ポートの出口ポートを接続する。【選択図】図１
2019048289.tif 000002
【特許請求の範囲】
【請求項１】
固体含有流体のための分配装置であって、
前記分配装置は、
ハウジング下部と、ハウジング下部とは反対側のハウジング頂部とを有し、入口ポートが開口する流体空間と、換気ポートが開口する、そこから離れた換気空間とに分割された内部空間を囲む分配装置ハウジングと、
複数の出口ポートと、
分配装置ハウジング内の入口ポートと、
分配装置ハウジング内の換気ポートと、
分配装置ハウジングに対して可動であり、分配装置ハウジング内に配置され、好ましくは、出口ポートの各々を、流体空間と換気空間と交互に流体連通して接続する分配装置ユニットと、を備え、
前記分配装置ユニットの前記相対運動は、前記複数の出口ポートの出口ポートを前記流体空間および前記換気空間と交互に接続し、
前記換気ポートが前記ハウジング頂部に配置されることを特徴とする、
分配装置。
【請求項２】
前記出力ポートは、前記ハウジング下部に、または、ハウジングの下部に隣接して配置されていることを特徴とする請求項１に記載の分配装置。
【請求項３】
前記出力ポートは、ハウジング下部をハウジング頂部に接続するハウジング側壁に配置されていることを特徴とする請求項１または２に記載の分配装置。
【請求項４】
前記出力ポートは、ハウジング頂部に配置されていないことを特徴とする請求項１ないし３のうちいずれか１項に記載の分配装置。
【請求項５】
前記分配装置ハウジングは、ハウジングベースと、ハウジングベースに解放可能に接続されたハウジングカバーとを備え、前記ハウジングカバーは、前記ハウジング頂部と、前記ハウジング頂部から前記ハウジング下部まで延びるハウジング側壁とを含むことを特徴とする請求項１ないし４のうちいずれか１項に記載の分配装置。
【請求項６】
前記換気ポートは、前記換気ポートを通って換気空間から逃げる流体を止め、前記換気ポートを通って換気空間に空気を流すように設計された逆止弁によって密封されることを特徴とする請求項１ないし５のうちいずれか１項に記載の分配装置。
【請求項７】
前記逆止弁は、前記換気空間から前記換気ポートを通る流体の逃げが阻止される閉鎖位置に弾性的に付勢された密封ダイアフラムの形態で提供され、前記換気ポートに対する前記換気空間の相対的な負圧によって、前記換気ポートを通って前記換気空間への空気の流入が許容される開放位置に移動させることができることを特徴とする請求項６に記載の分配装置。
【請求項８】
前記入口ポートは、前記ハウジング頂部から前記流体空間内に延びる入口通路内に開口していることを特徴とする請求項１ないし７のうちいずれか１項に記載の分配装置。
【請求項９】
前記換気ポートは、前記入口ポートが開口する入口通路の周りの環状通路によって形成されることを特徴とする請求項１ないし８のうちいずれか１項に記載の分配装置。
【請求項１０】
前記密封ダイアフラムは、前記入口通路の周りに、弾性体リング、特に、弾性体環状ディスクによって形成されることを特徴とする請求項７および９に記載の分配装置。
【請求項１１】
前記換気ポートは、前記ハウジング頂部のドーム形状の外側隆起領域に配置されることを特徴とする請求項１ないし１０のうちいずれか１項に記載の分配装置。
【請求項１２】
前記分配装置ユニットは、前記流体空間に対して複数の出口ポートの少なくとも１つをシールする第１の位置と、前記複数の出口ポートのうちの少なくとも１つと前記流体空間との間を流体連通する第２の位置との間で移動可能なシール部材を含むことを特徴とする請求項１ないし１１のうちいずれか１項に記載の分配装置。
【請求項１３】
前記分配装置ユニットのシール部材は、各出口ポートを交互に連続して前記流体空間および前記換気空間に接続するようになっていることを特徴とする請求項１ないし１２のうちいずれか１項に記載の分配装置。
【請求項１４】
固体含有流体中の固体の粉砕／浸出のために前記内部空間に配置された粉砕／浸出ユニットによって粉砕されることを特徴とする請求項１ないし１３のうちいずれか１項の分配装置。
【請求項１５】
前記分配装置ユニットは、粉砕／浸出ユニットを含むことを特徴とする請求項１４に記載の分配装置。
【請求項１６】
前記分配装置ユニットの相対移動は、前記粉砕／浸出ユニットによって粉砕/浸出を引き起こすことを特徴とする請求項１５に記載の分配装置。
【請求項１７】
前記粉砕／浸出ユニットは、前記シール部材の一体部分である切断要素を含むことを特徴とする請求項１４または１５、および請求項１５に記載の分配装置。
【発明の詳細な説明】
【技術分野】
【０００１】
本発明は、ハウジング下部とハウジング下部と反対側のハウジング頂部とを有し、内部空間を囲む分配装置ハウジングと、複数の出口ポートと、分配装置内の入口ポートと、分配装置ハウジング内の換気ポートと、分配装置ハウジングに対して移動可能であり、分配装置ハウジングの内部に配置され、内部空間を入口ポートが開口する流体空間と換気ポートが開口する換気空間とに分割する分配装置ユニットとを備え、前記分配装置ユニットの前記相対移動は、前記流体空間および前記換気空間と交互に前記複数の出口ポートの出口ポートを接続する、固体含有流体のための分配装置に関する。このタイプの分配装置は、固体含有流体を供給ラインから複数の排出ラインに分配するために使用される。
【背景技術】
【０００２】
そのような分配装置の１つの典型的な応用分野は農業工学であり、多くの用途の目的は、例えば、液体肥料をドリブルバーを介して畑に栄養物の貯蔵所として広げるために、いくつかのパイプラインの中の１本のパイプラインから繊維内容物を運ぶ流体を分配することである。
【先行技術文献】
【特許文献】
【０００３】
【特許文献１】欧州特許出願公開第２８５０９２８号明細書
【発明の概要】
【発明が解決しようとする課題】
【０００４】
そのような固体含有流体の分配に生じる１つの基本的な問題は、流体の閉塞および不均一な分配である。閉塞のために、流体が分配されるべき複数の出力ラインのうちの１つが流体をもはや含まないので、流体はもはや特定の領域に分配されないことが起こる。非一様分配とは、すべての出力ラインが流体を含んでいるが、異なる流量であることを意味し、異なる流速であることを意味する。これは、例えば、部分的な閉塞、流れの影響、出力ラインの出力における局所的な過圧、または、出力ラインの入力における局所的な負圧などの局部的な圧力抵抗効果、および、他の影響によって引き起こされ得る。
【０００５】
固体含有流体による閉塞の危険性を低減する１つの既知の方法は、そのような分配装置の内部に、分配装置ハウジングに対して移動可能な分配装置ユニットを提供することであり、特に、分配装置ハウジング上に配置された出口ポートに対して移動可能であることを意味する。そのような分配装置ユニットは、出口ポートと、場合によっては複数の出口ポートのそれぞれを交互に特定の順序で流体空間および分配装置ハウジング内の換気空間に接続するために使用される。その結果、出口ポートまたは出口ポートのそれぞれは、流体空間と、そして入口ポートと、恒久的かつ排他的に流体連通することはない。その代わりに、接続は繰り返し遮断され、換気空間への接続によって置き換えられるか、または、流体の脈動流が出口ポートに加えられるように補充される。この脈動する流れの利点は、閉塞が起こらないこと、または、閉塞が起こった場合に開放することができることである。最も単純な場合には、このような分配装置ユニットは、例えば、出口ポートを交互に開閉する回転ディスク弁装置によって提供することができ、弁が閉鎖されたときに換気空間に接続される。
【０００６】
多くの場合、固体含有流体の分配装置には、流体中のより大きな固体を粉砕（comminution）/浸出（maceration）させるための粉砕／浸出装置が取り付けられており、これにより、閉塞または不均一な分配のリスクがさらに低減される。このような粉砕／浸出装置は、入口ポートの領域に配置されるか、または、必要に応じて入口ポートの上流に接続されるか、または分配装置ハウジングの内部に配置される切断または細断ユニットで実現され得る。
【０００７】
分配機能及び粉砕／浸出機能を提供する分配ユニットが分配ハウジング内に配置される分配装置は、例えば、本出願人によって販売される“Dosimａt LVX”精密分配装置のような従来技術から知られている。そのような装置では、２翼ロータまたは３翼ロータ（４翼またはＸ翼のロータでもよい）が分配装置ハウジング内で回転し、そのロータ翼には、分配装置の下部ハウジング側に配置された出口ポートを掃引する切断エッジがあり、それによって粉砕／浸出機能を実行する。同時に、ロータの内部空間は、分散されるべき流体で満たされ、したがって、流体は、ロータ翼によって覆われている出口ポートに供給され、一方、ロータ翼によって覆われてない出口ポートは、ロータの外側に設けられた換気空間に接続されている。これにより、各出口ポートに流体および空気の脈動流がもたらされる。ロータの翼の数に応じて、脈動の周波数はロータ速度の２倍または３倍である（上記参照）。出口ポートは、流体が充填された空間から換気空間への各移行時にこれらの空間の両方に短時間接続され、したがって、２つを互いに接続するので、この分配装置では、流体が換気空間に蓄積することが可能であり、特に、流体が分配装置に加圧下で供給され、個々の出口ポートにおいて、例えば、閉塞によって高い逆圧が生成される。ロータの回転は、換気空間内の流体の乱れまたは泡の形成を引き起こし、流体または泡が、分配装置ハウジング内の換気ポートを介して周囲に逃げるおそれがある。
【０００８】
分配機能および粉砕／浸出機能の両方を同様に提供する分配装置は、特許文献１から公知である。これは、カップ点の形態で設けられた偏心して動かされた切断エッジと、分配装置の出力ラインに直接接続された出口ポートの形態で設けられた対向ブレードとによって達成される。環状切断ブレードは、偏心経路上を案内されることにより、出口ポートを掃引し、出口ポートを環状切断エッジによって画定された内部空間または環状切断エッジの外側に位置する外部空間に選択的に接続する。外部空間は、流体の供給ラインに接続されており、したがって、脈動流を提供するために出口ポートと連続的に流体連通する流体空間である。
【０００９】
環状切断エッジによって画定された内部空間は、換気空間である。出口ポートにおける負圧によって妨げられる均一な分配を防止するために、出口に接続された出力ラインを通る流体の脈動流の速度および質量慣性によって引き起こされる。換気空間は、出口ポートから半径方向内側に配置された隣接する換気ポートに接続されている。したがって、換気ポートは、環状切断ブレードの各偏心位置で換気空間に接続され、出力ラインにおける各流体圧力パルスの後に、より多くの空気が供給されることを可能にする。
【００１０】
分配装置の通常の動作では、このような構成は、基本的に固体含有流体をすべての出口ポートに実質的に均一に分配し、閉塞の発生を防止することができる。偏心して誘導されたロータが回転翼に比べて機械的運動が少ないため、乱流および泡の形成も減少する。しかしながら、この分配装置でさえ、さらに改良することができる。本発明者は、非常に薄い粘稠度を交互に有する非常に不均一な流体が、非常に粘性のある粘稠度によって順番に追従され、分配装置によって分配されるか、または、交互の流れ抵抗が出力側で発生する場合、分配の精度が、特定の動作条件下で悪影響を受けることを観察した。本発明の目的は、不均一な流体が周期的に供給される場合でも、流体を出口ポートに正確かつ均一に分配する分配装置を提供することである。
【課題を解決するための手段】
【００１１】
この目的は、本発明によれば、最初に説明した種類の分配装置によって達成される。これは、換気ポートがハウジング頂部に配置される。
【００１２】
本発明によれば、換気ポートはハウジング頂部に配置される。換気ポートが、そこに供給される空気の直接供給のために出口ポートに隣接して配置される従来の実施形態と異なる。そのために、分配装置ハウジングの側壁または分配装置ハウジングの下部のいずれかに配置されるホースを接続する必要があるため、本発明による換気ポートは、取り付け位置にあるときに頂部にあるハウジング側に配置される。このポジションにはさまざまな利点がある。第１に、重力は、流体が換気ポートを通って内部空間から加圧されずに逃げるのを防止する。この構成では、本発明による換気ポートの配置のために換気ポートと出口ポートとが直接隣接していなくてもよく、このことは換気ポートが汚染される危険を低減し、それを清掃するための換気ポートへの良好な接近性により、換気ポートの目詰まりの危険性、または換気ポートに挿入された弁が汚染のために適切に機能しなくなる危険性が低減される。換気ポートのこの構成が出口ポートに直接隣接しない可能性があるため、換気ポートと各出口ポートとの間の流路の経路および長さが等しくされ、従来技術とは対照的に、いくつかの出口ポートは、換気ポートへの非常に短い流路を有するが、他のものは、関連する非常に長い流路を有し、その出口ポートに接続された出力ラインにおいて異なる流れ特性をもたらすことがある。
【００１３】
第１の好ましい実施形態によれば、出口ポートは、ハウジングの下部またはハウジングの下部に隣接して配置される。出口ポートをハウジングの下部またはそれに隣接して配置することは、分配装置ハウジング内部の空気の案内に関してだけでなく、分配装置ハウジング内の流体の案内に関しても特に合理化された配置をもたらす。例えば、入口ポートをハウジング頂部に配置することにより、入口ポートから出口ポートへのほぼ直線状の流れ誘導を達成することが可能である。ハウジング頂部の換気ポートと組み合わせて、特に、空気と流体を分配装置ハウジング内の同一の流路方向に案内することが可能である。出口ポートをハウジングの下部またはハウジングの下部に隣接して配置することにより、換気ポートから各出口ポートへの流路がほぼ同じ長さとなり、換気経路の長さの違いによる不都合な影響を完全または大部分を防止することができる。したがって、本発明によれば、この実施形態の出口ポートは、それぞれの出口ポートが換気される換気ポートに対向している。
【００１４】
出口ポートがハウジング頂部に配置されていないことがさらに好ましい。ハウジング頂部の任意の出口ポートを省くことによって、ハウジング頂部は、設計上実質的に閉じられ、換気ポートのみ、場合によっては１つまたは複数の入口ポートを有することができる。これにより、分配装置は、メンテナンスおよび清掃の目的で、第１に、改良された構造を与える。さらに、換気ポートが出口ポートから空間的に分離されているので、内部空間内の空気および流体の流れを案内するためにそれらを有利に分配することが可能であり、従来技術とは対照的に、流れの大きな断面内部空間内の入口ポートと出口ポートとの間に配置され、内部空間の閉塞のリスクを低減する。ハウジング頂部の出口での分配もまた、出口ポートを側壁、いくつかの側壁および／またはハウジングの下部に配置することを必要とし、その結果、上述した利点が得られる。
【００１５】
あるいは、単一の出口ポートまたは５個未満の出口ポートがハウジングの頂部に配置され、複数の出口ポートには配置されない場合には、本発明に係る利点をわずかに減少した形態で達成することもできることを理解されたい。
【００１６】
分配装置ハウジングは、ハウジングベースおよびハウジングベースに着脱自在に接続されたハウジングカバーを備えていることがさらに好ましい。ハウジングカバーは、ハウジング頂部と、ハウジング頂部側からハウジング下部まで延びるハウジング側壁とを含むことが好ましい。本発明のこの発展形態によれば、ハウジング頂部は分配装置ハウジングカバーの側壁によってハウジングの下部から離間され、その結果、換気ポートはハウジングの下側から垂直方向に離間され、形成された流体または泡の換気ポートを通る望ましくない逃げは、重力によって抑制される。換気ポートは、好ましくは、ハウジングのドームの領域内にあり、これは垂直上方に形成され、ハウジングの側壁およびダイのハウジングの頂部によって形成される。特に、ハウジング下部がハウジングベースに形成され、ハウジングカバーが開かれたときに出口ポートに容易にアクセスできるようにすることが理解されるべきである。
【００１７】
別の好ましい実施形態によれば、換気ポートは、換気ポートを通って換気空間から逃げる流体を止め、換気ポートを通って換気空間に空気を流すように設計された逆止弁によって密封される。このような逆止弁で換気ポートを密封することにより、空気は、分配装置ハウジングの外側から換気空間に流れることができるが、換気空間から換気ポートを通って分配装置ハウジングの周囲に外向きに流れることは不可能である。これは、分配装置の誤動作または過負荷の場合に、固体含有流体が換気ポートを通って外部に漏出するのを防止する。逆止弁は、弾性的に付勢された逆止弁とすることができ、特に、その閉鎖機能は、それを弾性的に閉じた位置に付勢することによって支持される。逆止弁は、他の力の作用によって、例えば、重力によって閉鎖位置に押し込むこともできるし、または、特に、滑らかに動作する逆止弁として、流れまたは圧力の影響下でのみ開放位置または閉鎖位置に移動されるように設計することもできる。
【００１８】
これに関して、逆止弁は、換気空間から換気ポートを通る流体の逃げが阻止される閉鎖位置に弾性的に付勢された密封ダイアフラムの形態で提供され、換気ポートに対する換気空間の相対的な負圧によって、換気ポートを通って換気空間への空気の流入が許容される開放位置に移動され得る。密封ダイアフラムは、この文脈では、内部応力または別個に設けられた弾性要素、例えば、金属ばねによって、換気ポートが閉鎖位置にバイアスされて流体が内部空間から換気ポートを通って外部に逃げることができないような表面要素であると理解すべきである。ダイアフラムは、必要であれば、ダイアフラムがバルブシーリング座に対して軽く押し付けられるような方法で付勢されてもよい。この僅かな力での接触は、密封ダイアフラムに圧縮力を加えることによって、内部空間からの圧力の増加により流体が換気ポートに作用しても、密封ダイアフラムによって信頼性のあるシールが依然として提供される。密封ダイアフラムは、基本的に、例えば、換気ポートに面して挿入され、フレームまたは構造物上に位置し、換気ポートをその断面全体にわたって閉鎖するように設計することができ、構造は、外部から入口ポートを通って密封ダイアフラムの前方の換気空間に空気流の方向に配置され、密封ダイアフラムが外部からの空気の流れの影響下でフレームまたは構造から立ち上がり、空気の流路を開くようにすることができる。密封ダイアフラムは、例えば、環状シール面をその縁部に接触させ、そのようにしてシールを設けることによって、異なった設計をすることもできる。
【００１９】
入口ポートは、ハウジング頂部から流体空間内に延びる入口通路内に開口することがさらに好ましい。この実施形態では、入口ポートが入口通路に設けられているので、入口ポートを通って入る固体含有流体は、入口通路を通って内部空間の中に分配装置ハウジング内の流体空間まで通過することができる。特に、入口通路は、換気空間を通って延在することができ、結果として換気空間を内部空間の流体空間から確実に分離することができる。
【００２０】
換気ポートは、入口ポートが開口する入口通路の周りの環状通路によって形成されることがさらに好ましい。入口ポートは、ハウジング頂部の中央に配置され、それに応じて入口通路は、分配装置の中心軸に沿って中心に延びることが、基本原理として理解されるべきである。特定の実施形態では、入口ポートを偏心的に配置してもよく、または、偏心して配置された複数の入口ポートを設けてもよい。換気ポートを入口通路の周りに延びる環状通路として配置することにより、流体および空気がすべての出口ポートに均一に供給されることを保証する内部空間内の空気および流体のための流路の特に有利な構成がもたらされる。環状流路は、適合する環状ダイアフラムによって、特に好適にシールすることができ、それにより、環状流路を通る空気の流れおよび流体の漏出を防止するという点で、堅牢で信頼できるものとなる。
【００２１】
これは特に、密封ダイアフラムは、入口通路の周りに弾性リングによって、特に、弾性環状ディスクにより形成されていることが好ましい。そのような弾性リング、または、そのような弾性環状ディスクは、例えば、入口通路の外面に固定され、その円形の外側縁部またはその外縁部の領域内の環状の表面部を有する弁座と接触することができる。このようにしてシールを生成する。弁座は、例えば、ハウジング頂部の内面に設けることができる。このことは、換気ポートを通って外部への流体の出口に対して信頼性のあるバイアスおよびシールを提供すると同時に、密封ダイアフラムによって形成される逆止弁が換気ポートを通って換気空間に入る空気の流入のためにスムーズかつ無音で開くことを可能にする。
【００２２】
換気ポートは、ハウジング頂部のドーム形状の外側の隆起部の領域に配置されることがさらに好ましい。ハウジング頂部のドーム形状の外側の隆起部は、ここでは、換気ポートを含み、場合によっては入口ポートを含む領域が、ハウジング頂部の残りの部分に対してさらに外側に、特に凸状に外側に隆起しているまたは外側に向かって階段状であることを意味すると理解されるべきである。このような幾何学的形状は、換気ポートがさらに高く配置され、その結果、汚染に対してより良好に保護され、重力の下で換気ポートを通る流体の逆流がさらに防止されることを意味する。
【００２３】
分配装置ユニットは、換気空間に対して複数の出口ポートの少なくとも１つをシールする第１の位置と、複数の出口ポートのうちの少なくとも１つと換気空間との間に流体連通する第２の位置との間で移動可能なシール部材を含むことがさらに好ましい。この実施形態によれば、分配装置ユニットのシール部材は、第１の位置と第２の位置との間を移動し、出口ポートを換気空間に交互に接続し、換気空間に対してシールする。より具体的には、シール部材は、出口ポートを換気空間に密封して流体空間に接続することができる第１の位置にあり、シール部材によって換気ポートが流体空間および換気空間に交互に接続される。この結果、固体含有流体の望ましい脈流が出口ポートに加えられ、特に、出口ポートが流体空間に対してシールされる相において、より多くの空気が換気空間から引き出されることが可能になる。シール部材は、基本的には、第１の位置と第２の位置との間でシール要素を交互に移動させるために、例えば、往復運動によって、または、円形経路上を移動することによって、または、偏心的に、または、類似の方法で周期的に移動することができる。
【００２４】
分配装置ユニットのシール部材は、各出口ポートを交互に連続して流体空間および換気空間に接続するように適合されることがさらに好ましい。この実施形態によれば、出口ポートの各々は、流体空間および換気空間に交互に連続して接続され、これは、シール部材の第１および第２の位置、および第１の位置と第２の位置との間のシール部材の順番の繰り返し位置決めに関して先に説明した方法で具体的に達成することができる。シール部材が１つまたは複数の出口ポートを流体空間に接続するときはいつでも、それらは１つまたは複数の出口ポートを換気空間に対して、またその逆に同時にシールすることができる。すなわち、シール部材が１つまたは複数の出口ポートを換気空間に接続するときはいつでも、出口ポートまたは複数の出口ポートを流体空間に接続する。シール部材は、基本的には、いずれかの時点で出口ポートのうちのいくつかを換気空間に接続し、他の出口ポートを流体空間に接続するように設計することができる。換気空間に接続された出口ポートの数に対する流体空間に接続された出口ポートの数の比は、１：１とすることができるが、分配装置を通るより高い体積流量の流体を生成するために、特に、より多くの出口ポートが換気空間よりも流体空間にのみ接続されることも可能である。
【００２５】
分配装置は、固体含有流体中の固体の粉砕／浸出のために、内部空間に粉砕／浸出装置を配置することによってさらに発展させることができる。分配装置の内部空間におけるこのような粉砕／浸出ユニットは、流体中の大きな固体を粉砕／浸出することができ、したがって流体の閉塞および不均一な分配の危険性を低減することができる。粉砕／浸出装置は、例えば動翼の形態で、またはシュレッダとして提供することができる。粉砕／浸出ユニットは、切断、せん断または引き裂きのような力を分けることによって基本的に達成することができる。
【００２６】
粉砕／浸出ユニットは、好ましくは、ハウジングの下部に隣接して配置され、第１の切断エッジを含む第１の切断要素と、第１の切断要素の上に横たわる第２の切断要素とによって形成される。これは、第１の切断要素に対して移動可能であり、第２の切断エッジを有する。これにより、固体が分配装置ハウジングの下部領域で効果的に粉砕／浸出されることを確実にするせん断および切断効果が生じる。第１の切断エッジは、好ましくは、出口ポートと流体連通する開口部の縁部によって形成され、特に、後者と同一平面上にある。この実施形態は、上述の実施形態と組み合わせて、ハウジング側壁とハウジング頂部を備えるハウジングカバーに特に有利であり、それらの相互作用により、ハウジングカバーが開かれたときに、メンテナンスのためにアクセスすることが特に容易な切断エッジおよび出口ポートが得られるので、同時に、換気ポートを通る流体の望ましくない漏出の危険性を低減することができる。
【００２７】
分配装置ユニットが粉砕／浸出ユニットを含むことがさらに好ましい。これにより、分配装置は、粉砕／浸出ユニットが分配装置ユニットに含まれているか、一体化されているというコンパクトな構造になる。
【００２８】
これに関して、分配装置ユニットの相対的な移動が、粉砕／浸出ユニットによって粉砕／浸出を引き起こすことが特に好ましい。この実施形態では、流体を脈動的に出口ポートに分配するのに必要な分配装置ユニットの動きは、粉砕／浸出装置を駆動し、固体を粉砕／浸出するために同時に使用される。これにより、分配機能および粉砕／浸出機能に単一の駆動装置を使用することができる。この単一の駆動ユニットに基づいて、頑丈で十分に密閉されたハウジング設計を得るために、ハウジング内への単一の駆動伝達を提供することが可能である。この動きは、例えば、回転運動または偏心運動であり得る。
【００２９】
また、粉砕／浸出ユニットは、シール部材の一体部分である切断要素を含むことが特に好ましい。この実施形態では、粉砕／浸出装置とシール部材は一体的であり、すなわち、互いに接合された単一の構成要素または構成要素の組合せの形態で提供される。特に、シール部材は、例えば、対向ブレードまたは複数の対向ブレードと相互作用する切断ブレードとして実施され、その結果、シール部材が動かされたときの粉砕／浸出効果としてのせん断効果をもたらす。このようにして、対向ブレードは、例えば、環状切断ブレードがその上を掃引される出口ポートの縁部によって提供され、こうして、粉砕／浸出効果を伴うせん断効果を生じる。
【００３０】
以下、添付図面を参照して好ましい実施形態を説明する。
【図面の簡単な説明】
【００３１】
【図１】本発明に係る分配装置を側面と上から見た斜視図を示す。
【図２】図１に示す実施形態の斜視図であり、ハウジングカバーが取り外された状態を示す。
【図３】図１に示す実施形態の長手方向の断面斜視図を示す。
【図４】図１に示す実施形態の縦断側面図を示す。
【図５】ロータが異なる回転位置にあり、流路が描かれた図４に係る図を示す。
【発明を実施するための形態】
【００３２】
本発明による分配装置は、分配装置ハウジング１０を有する。分配装置ハウジング１０は、ハウジング頂部１１、ハウジング側壁１２およびハウジング下部１３を有する。ハウジング下部１３は、ハウジング頂部１１に対向して配置される。ハウジング側壁は、僅かに円錐状に上向きに延び、ハウジングの頂部をハウジングの下部に接続するほぼ円筒形の壁を有する。分配装置ハウジングは、基本的にハウジングカバー１０ａとハウジングベース１０ｂとからなる。分配装置ハウジングは、ハウジングベース１０ｂの領域において、車両やトレーラのフレームやホルダ等に取り付けられたり、静止地点に取り付けられたりすることにより、メンテナンスのためにハウジング下部を移動させることができず、すべてのホースラインがハウジングの下部に取り付けられているので、好都合であり、必要である。
【００３３】
ハウジングカバーは、ヒンジ１６によってハウジングベースに接続され、メンテナンスのためにハウジングカバーを反転させて開くことができる。円周フランジ領域１４に沿って、ハウジングベースおよびハウジングカバーは、互いに解放可能かつ流体密封的に接続することができる。これにより、メンテナンスや清掃のために分配装置ハウジングの内部空間に簡単にアクセスでき、信頼性の高い密封性が得られる。
【００３４】
ハウジング頂部は、ハウジングカバーのハウジング側壁と一体である。したがって、ハウジング頂部は、フランジ領域１４およびハウジング下部から垂直方向に離間されている。
【００３５】
ハウジングの頂部１１およびハウジングの側壁１２は、ハウジングカバー１０ａに高いレベルの剛性を与えるために、複数のリブ１５ａ，ｂ，ｃによって補強されている。したがって、ハウジングカバー１０ａは、例えば、プラスチックで作ることができる。
【００３６】
ハウジングカバーは平らなドームのような形状であり、ハウジング側壁１３がドームの垂直に延びる部分を形成し、ハウジングの頂部１１がドームの水平に延びる部分を形成する。ハウジング頂部１１は、中央のドーム形の隆起部１７を有し、これを通って入口通路２０が中心長手軸線１００に対して軸方向に延びている。入口通路２０は、分配装置の最上点に位置する入口ポート２１から分配装置ハウジング１０の内部空間に延びている。
【００３７】
それぞれの出口接続片３１ａ，ｂ，ｃが接続可能な複数の出口ポート３０ａ，ｂがハウジング下部１３に配置されている。各出口接続片３１ａ，ｂ，ｃは、実質的に軸方向中央の長手軸１００に関して、半径方向外側に僅かに傾斜している。これにより、出口ホースが出口接続片３１ａ，ｂに妨げられることなく容易に接続されることが可能になる。周囲から分配装置ハウジング内に空気を流すことができる環状通路４１が、ハウジング頂部のドーム形状隆起部１７と入口通路２０との間に形成される。環状通路４１は、換気ポートとして機能する。
【００３８】
入口開口部から始まり、入口通路２０は、分配装置ハウジング１０内の内部空間の高さのほぼ半分まで延びている。その高さにおいて、入口通路２０は、仕切り壁２３によって換気空間４２から分離された流体空間３２に開口している。換気空間４２は、換気ポート４１を通って流れる空気によって換気されることができる。換気ポートを形成する環状通路４１と換気空間４２との間には、環状の円板状の密封ダイアフラム４０によって形成された逆止弁が配置されている。密封ダイアフラム４０は、入口通路２０の外側の内周縁部に取り付けられ、ハウジングの頂部の内側の外周縁部に密封接触する。図面に示された位置では、密封ダイアフラム４０は、環状通路４１を通って換気空間４２から流体が排出されるのを防止するために、閉鎖位置にある偏倚位置にある。
【００３９】
出口ポート３０ａ，ｂの縁部は、環状の有孔板により形成された切断スクリーン用の上部平面支持面を形成する。中心長手軸１００の周りを回転する３翼の切断ロータ５０は、図２の切断スクリーン上に横たわって見ることができる。切断ロータ５０は、ハブ５３から半径方向に延びる全部で３つのロータ翼５５ａ−ｃを有し、切断エッジ５６ａ−ｃを有する切断ブレード５１は、切断スクリーンに面する翼の底縁部に形成されている。切断ロータ５５ａ−ｃを含む切断ロータ５０は、入口通路２０に接続され、結果として流体で満たされる内部キャビティ３２を有する。このキャビティ３２は、分配装置ハウジングの内部の流体空間を構成する。
【００４０】
ハブ５３は、ハウジングの下部の下に配置された駆動モータ５４によって中心長手軸の周りを回転するように作られている。ハブは、下部ロータプレート５２によって切断ブレード５１に接続されている。この回転運動は、有孔板の開口部の上縁部３６ａ，ｂ，…と相互作用する切断エッジ５６ａ−ｃによって生じるせん断効果をもたらし、その結果、より大きな固体が効果的に粉砕／浸出される。同時に、出口ポート３０ａ，ｂの各々は、切断ロータの回転運動によって切断ロータに形成された流体空間３２と換気空間４２とに交互に接続される。これにより、出力ポート３０ａ，ｂに流体の脈動流が加えられ、換気空間から空気を引き出すことができる。
【００４１】
図５は、分配装置を通って空気がどのように案内されるかを簡単な矢印の形で示し、流体がどのように案内されるかを両頭の矢印の形で示している。ロータは、ここでは左側のハウジング側の出口ポートに流体が供給され、右側のハウジング側の出口ポートに空気が供給される回転位置に示されている。
【図１】
2019048289.tif 000003
【図２】
2019048289.tif 000004
【図３】
2019048289.tif 000005
【図４】
2019048289.tif 000006
【図５】
2019048289.tif 000007
【外国語明細書】
2019048289.tif 000008
2019048289.tif 000009
2019048289.tif 000010
2019048289.tif 000011
2019048289.tif 000012
2019048289.tif 000013
2019048289.tif 000014
2019048289.tif 000015
2019048289.tif 000016
2019048289.tif 000017
2019048289.tif 000018
2019048289.tif 000019
2019048289.tif 000020
2019048289.tif 000021
2019048289.tif 000022
2019048289.tif 000023
2019048289.tif 000024
2019048289.tif 000025
2019048289.tif 000026
2019048289.tif 000027
2019048289.tif 000028
2019048289.tif 000029
2019048289.tif 000030
2019048289.tif 000031